(57)【要約】【課題】書物に対し磁気吸着で強固に取り付けられると共に、任意の箇所に差込片を差し込みことができ、さらに差し込んだ位置から書物の頁をめくり続けても次の差し込みが自動的或いは簡単に行うことができるマグネットしおりを提供する。【解決手段】内面が磁気吸着する表面側の固定片７ａと裏面側の固定片７ｂとを備えたしおり本体２と、しおり本体２に軟質材料製で遊動自在に取り付けられた差込片３ａとで構成するマグネットしおり１とした。差込片３ａはしおり本体２への取付片３ｂを有する差込片部材３に形成されるが、複数の取付小片で構成しても良い。また差込片は紐部材を使用して複数の取付小片により形成させてもよく、材料は透明材料としてもよい。【選択図】図４
2008068631.tif 000002
【特許請求の範囲】
【請求項１】
磁気吸着により閉鎖し、該閉鎖状態から一端側に設けられたヒンジ部を基点に回動して開く一対の固定片からなるしおり本体と、該しおり本体に軟質材料製で遊動自在に取り付けられた少なくとも一つの差込片とで構成することを特徴とするマグネットしおり
【請求項２】
しおり本体は、マグネットシートの外面に装飾層を積層貼着した一体物で成り、該マグネットシートの内面の中央部にはヒンジ溝が形成されていることを特徴とする請求項１に記載のマグネットしおり
【請求項３】
しおり本体は、一対の固定片の両方がマグネットシート、または片方がマグネットシートで他方が強磁性体部材であり、該一対の固定片の一端側がヒンジ部材で連結され他端側を開閉自在としたことを特徴とする請求項１に記載のマグネットしおり
【請求項４】
差込片は、差込片部材に開閉自在に設けられており、該差込片部材の取付片をしおり本体に貼着することにより機能させることを特徴とする請求項１〜３のいずれかに記載のマグネットしおり
【請求項５】
差込片は、複数の差込小片からなり、夫々の差込小片が遊動自在であることを特徴とする請求項４に記載のマグネットしおり
【請求項６】
差込片は、複数の紐部材からなり、しおり本体の上部に取り付けられることを特徴とする請求項１〜３のいずれかに記載のマグネットしおり
【請求項７】
差込片は、透明製であることを特徴とする請求項１〜６のいずれかに記載のマグネットしおり
【発明の詳細な説明】
【技術分野】
【０００１】
本発明は、書籍、雑誌等の製本された書物に幅広く使用されるマグネットしおりに関するものである。
【背景技術】
【０００２】
従来から、特許文献１及び特許文献２に開示されるように、製本された書物の興味のある頁を簡単に開くことができるようにすべく、その興味のある頁を一対のマグネット片で磁気吸着にて挟むタイプのマグネットしおりが知られている。
具体的には、特許文献１では、二つのマグネット片の上部を接着する構成等が開示され、特許文献２では、一つの長尺状の軟質片体を略中央部の可折部で折り返して一対の折面を形成し各折面の内面同士を磁気吸着させる構成等が開示されている。
【０００３】
これらのマグネットしおりは、汎用の単に差し込むタイプのものと比べて確実に希望頁を固定できるので脱落しにくい利点が有り、汎用の金属製或いは樹脂製で挟持部分を有するものと比較した場合には、挟む頁を損傷しにくい、挟持を確実に行うことができる、取り扱いが簡単という利点がある。
【０００４】
【特許文献１】実開昭６１−１６６８７１号公報（明細書全文、第１図〜第３図）
【特許文献２】実用新案登録第３０９４２３４号公報（９頁８行〜１０頁１７行、図３〜図９）
【発明の開示】
【発明が解決しようとする課題】
【０００５】
しかしながら、特許文献１や特許文献２に示されるような従来のマグネットしおりは、頁を磁気吸着により挟持するが故に１枚或いは数枚分の頁のように１箇所にしか使用できない不都合があった。
【０００６】
そこで本発明は、磁気吸着で強固に取り付けられる特徴を生しつつ、さらに別の箇所にも差し込みが容易で、しかも差し込んだ位置からめくり続けても外れることの無いマグネットしおりを提供することを課題とする。
【課題を解決するための手段】
【０００７】
本発明は課題を解決するために、磁気吸着により閉鎖し、この閉鎖状態から一端側に設けられたヒンジ部を基点に回動して開く一対の固定片からなるしおり本体と、このしおり本体に軟質材料製で遊動自在に取り付けられた少なくとも一つの差込片とから成るマグネットしおりの構成とした。
【０００８】
なお、しおり本体は、マグネットシートの外面に装飾層を積層貼着した一体物で成り、このマグネットシートの内面の中央部にはヒンジ溝が形成されている構成で実施することができる。
【０００９】
また、しおり本体は、一対の固定片の両方がマグネットシート、または片方がマグネットシートで他方が強磁性体部材であり、この一対の固定片の一端側がヒンジ部材で連結され他端側を開閉自在とする構成で実施しても良い。
【００１０】
本発明における差込片は、差込片部材に開閉自在に設けられており、この差込片部材の取付片をしおり本体に貼着することにより機能させるようにすることができる。
【００１１】
また、差込片は、複数の差込小片からなり、夫々の差込小片が遊動自在とすると複数個所に差込が可能となり好ましい態様となる。
【００１２】
この差込小片を複数の紐部材とすると構造を簡素化することができる。
さらに、差込片を透明製にすると差し込む書物の頁の記載内容が判るので、利便性が向上する。
【発明の効果】
【００１３】
本発明は、製本された書物の所定の頁に磁気吸着で強固に取り付けることのできるしおり本体と、軟質材料で遊動自在に取り付けられた差込片とで構成されるので、この差込片を希望の箇所も差し込むことができ、しかも差し込んだ位置からめくり続けてもマグネットしおりが書物外れることはないので、利便性の高いしおりとすることができる。
【発明を実施するための最良の形態】
【００１４】
本発明のマグネットしおりは、磁気吸着により閉鎖し、この閉鎖状態から一端側に設けられたヒンジ部を基点に回動して開く一対の固定片からなるしおり本体と、このしおり本体に軟質材料で遊動自在に取り付けられた差込片とから成るマグネットしおりであり、以下、実施例に沿って詳細に説明する。
【実施例１】
【００１５】
図１〜図５は、本発明の実施例１を表わしたものであり、図１（ａ）〜（ｃ）は、マグネットしおりの説明用の斜視図、図２（ａ）（ｂ）は、しおり本体の説明用の斜視図、図３（ａ）（ｂ）は、マグネットしおりの書物への取り付け手順を示す説明図、図４（ａ）（ｂ）は、しおり本体を書物の背面頁に取り付けた場合の説明図、図５（ａ）（ｂ）は、しおり本体を書物の中間頁に取り付けた場合の説明図を示したものである。
【００１６】
実施例１のマグネットしおり１は、図１（ａ）の分解斜視図、図１（ｂ）の完成状態の斜視図、図１（ｃ）の完成状態の使用説明用の斜視図に示すように、しおり本体２と差込片部材３とで構成される。
しおり本体２は、図２（ａ）の斜視図及び図２（ｂ）の部分拡大斜視図に示すように、マグネットシート４の外面４ａ側に装飾層５が積層貼着された構成となっており、外形は幅が約５０ｍｍ、長さが約８０ｍｍ、厚さが約０．７ｍｍに形成されている。
【００１７】
マグネットシート４の内面４ｂの中央部には凹状のヒンジ溝６設けられており、このヒンジ溝により表面側の固定片７ａと裏面側の固定片７ｂとが折り曲げやすくなっている。なお、表面側の固定片７ａと裏面側の固定片７ｂとの境界部には、裏面側の固定片７ｂ側の略中央上部に設けた切り込み８によって摘み部９が形成されており、表面側の固定片７ａと裏面側の固定片７ｂとを折り曲げた時に、図１（ａ）（ｂ）（ｃ）のように摘み部９が二つの固定片７ａ,７ｂの上方に突出することになる。
なお、切り込み８は表面側の固定片７ａに設けても良いし、切り込み８が入る部分のヒンジ溝６は省略して摘み部９が突出しやすくしても良い。
また、摘み部９を省略することは勿論可能であり、その場合は切り込み８を設けなかったり、切り込み８は設けるがマグネットしおり完成状態では突出させないようにするとよい。
【００１８】
マグネットシート４は、フェライト系、マンガン・アルミニウム系、サマリウム・コバルト系、ネオジウム・鉄・ホウ素系、サマリウム・鉄・窒素系等の硬質磁性材料からなる磁石材料微粉末を有機高分子エラストマーに練り込み着磁された樹脂製磁石等適宜の樹脂製磁石が用いられる。
【００１９】
なお、本実施例においては、図２（ａ）に示すように、表面側の固定片７ａと裏面側の固定片７ｂとに対向面が異なる磁極となるようにＮ極とＳ極が縞状に多極着磁されており、表面側の固定片７ａと裏面側の固定片７ｂとの内面を重ね合わせると、異極同士で強く磁気吸着されることになる。
【００２０】
また、着磁は表面側の固定片７ａと裏面側の固定片７ｂとの内面だけ磁気吸着する片面着磁に限らず、マグネットしおり全体も強磁性体物品に磁気吸着するようにしてもよい。また、使用する磁石の種類や着磁方法も適宜に選択し実施することができる。
【００２１】
装飾層５は、紙或は薄いプラスチックシートが用いられ、文字やイラスト等の装飾がなされている。勿論使用者が後で加筆しやすいように、白色或いは単色のみとしてもよい。
【００２２】
差込片部材３は、図１（ａ）に表わすように、厚さが約０．１ｍｍ程度で、上記しおり本体２における裏面側の固定片７ｂと同幅で高さが若干低い取付片３ｂと、この取付片３ｂと同幅で高さ方向に長く形成された差込片３ａとを、開閉自在に折り曲げ状態に形成する。
なお、差込片３ａの先端は図示するように円弧状に形成すると差し込みがしやすくなるので好ましい。
また、材料は、樹脂シートや布等の軟質製のものを用いる。その場合に、透明製とすると、マグネットしおりの実使用において、書物の表示内容が透けて見えるので好ましいため、本実施例においては、軟質の透明な樹脂シートを用いている。
【００２３】
そして、図１（ａ）の分解斜視図のように、差込片部材３における取付片３ｂの外面をしおり本体２の裏面側の固定片７ｂに接着剤等で貼着すると、図１（ｂ）のようにマグネットしおり１が完成する。
なお、図１（ｃ）はマグネットしおり１における、しおり本体１の各固定片７ａ，７ｂの開状態及び差込片部材３の差込片３ａの開状態を示したものである。
【００２４】
次に、実施例１のマグネットしおりの使用方法について説明する。
図３（ａ）（ｂ）及び図４（ａ）（ｂ）は、書物の裏表紙にマグネットしおりを取り付けた場合の使用方法を示したものであり、先ず、図３（ａ）に示すように、書物Ｂの裏表紙Ｃａにマグネットしおり１のしおり本体２の表面側の固定片７ａと裏面側の固定片７ｂとを開いて差し込み、磁気吸着力で挟着して取り付ける。この時、差込片３ａは各頁上に乗った状態になっており、次いで図３（ｂ）のように希望の頁Ｄを開いた状態とすると、差込片３ａはそれ自体の柔軟性や自重で自然に垂れ下がる、或いは垂れ下がり状態が悪くても軽く押さえて書物Ｂを閉じると、図４（ａ）の斜視図及び図４（ｂ）の拡大断面図に
示すように書物Ｂの希望の頁間に差込片３ａが収納される。
なお、書物Ｂの表表紙Ｃｂにマグネットしおり１を取り付けた場合においても、同様に実施することができる。
【００２５】
そして、後で希望の頁Ｄを見たいときには、差込片３ａによってできた分割ラインＤａに沿って開けば図３（ｂ）のように希望の頁Ｄが現れる。
この時、差込片３ａが透明部材であると、図に示すように希望の頁Ｄの記載内容が透けて見えるので好ましい態様となる。
なお、ここから続けて次ページ以降を読んで行って途中で休止して閉じたい場合は、マグネットしおり１が書物Ｂの裏表紙Ｃａに強固に取り付けられているので、マグネットしおり１の取り付け直しの作業は不要であり、差込片３ａもそれ自体の柔軟性や自重で自然に垂れ下がるので、単に書物を閉じるだけで差込片３ａが自動的に差し替えできることになる。
この時、差込片３ａの垂れ下がり状態が悪くても軽く押さえるだけで良いので、差込片３ａの差し替え作業は簡単に行うことができる。
また、マグネットしおり１の取り外しは、摘み部９を摘んで上方に引く抜くだけの簡単な作業で行うことができる。
【００２６】
このように、この使用方法においては、マグネットしおり１の表面側の固定片７ａと裏面側の固定片７ｂとが、書物の最も堅牢な頁である裏表紙又は表表紙に取り付けられるので、取り付け安定性が良いと共に、差込片３ａが長く形成されているため差し込み位置を自由な位置とすることができる利点がある。
また、差込片３ａの差し込み作業が自動的或いは簡単に行えるため、読んで中断する行為を頻繁に行っても簡単に対応することができる利点もある。
【００２７】
図５（ａ）の斜視図及び図５（ｂ）の拡大断面図は、書物Ｂの中間の頁をマグネットしおり１の表面側の固定片７ａと裏面側の固定片７ｂとの磁気吸着力で取り付けた場合の使用例を示したものである。
使用方法は、前述の書物の裏表紙または表表紙にマグネットしおりを取り付けた場合と同様となるため説明を割愛するが、この場合においては、マグネットしおりを取り付けた頁自体も、希望する２箇所の差し込み位置として使用できる、即ち図中Ｄａで示す差込片３ａによる分割ラインＤａ、裏面側の固定片７ｂによる分割ラインＤｂ、表面側の固定片７ａによる分割ラインＤｃに表わされるように、３箇所の差し込み位置を設けることが可能となる利点がある。
【実施例２】
【００２８】
図６（ａ）（ｂ）は、本発明の実施例２を表わしたものであり、基本的には実施例１の構成と同様となるので、異なる構成についてのみ説明し、共通の内容については説明を割愛する。なお、図６（ａ）（ｂ）は説明を判りやすくするために各部材の下端を開いた状
態で表わしているが、実際の下端は閉じた状態となっている。
【００２９】
図６（ａ）の分解斜視図に示すように、実施例２のマグネットしおり２１は、しおり本体２２の表面側の固定片２７ａと裏面側の固定片２７ｂとが夫々幅約２５ｍｍ、高さ約１００ｍｍ、厚さ約０．６ｍｍの細長い形状となっており、実施例１と同様にマグネットシート２４の表面に装飾層２５が設けられる構成となっている。
【００３０】
また、差込片部材２３は透明の柔軟性のある樹脂製シートで、厚さが約０．４ｍｍ、幅がしおり本体２２の表面側の固定片２７ａ及び裏面側の固定片２７ｂと同等で、高さが差込片２３ａで若干短めとなっており、取付片２３ｂは取付強度を満たす最小限の大きさに形成されている。
そして、差込片２３ａの先端には厚肉重量部２３ｃが設けられる。
この厚圧肉重量部２３ｃは、実使用時の差込片２３ａの垂れ下がり性を高めるのと実使用時における書物の差込位置での開きやすさを良くする目的のものであり、この実施例では先端を折り返して接着する仕様となっている。但し、厚圧肉重量部２３の構造はこれに限ることなく適宜の構成で実施して良い。
【００３１】
この状態から、図６（ｂ）に示すように、差込片部材２３の取付片２３ｂの内面を、しおり本体２２の表面側の固定片２７ａの上方に接着剤等で貼着するとマグネットしおり２１が完成する。
なお、図に示すように、しおり本体２２の上面と差込片部材２３の上端間は、２ｍｍ程度の間隙２３ｄを設けた方が差込片２３ａの垂れ下がり性が良いので、好ましい形態となる。
そして、矢印で示すように、しおり本体２２の表面側の固定片２７ａと裏面側の固定片２７ｂとは常時の磁気吸着で閉鎖された状態から開放させて書物に挿入できると共に、差込片部材２３の差込片２３ａも、常時の閉鎖された状態から開放させて使用することになる。
【００３２】
図７は、実施例２の変形例を表わしたものであり、この変形例のマグネットしおり２１’には、摘み部２９が設けられ、しおり本体２２’の表面側の固定片２７ａ’と裏面側の固定片２７ｂ’との下端形状を交叉する傾斜面２７ｃ，２７ｄで形成した点が、実施例２と異なっている。
なお、この変形例を表わした図７も、説明を判りやすくするために各部材の下端を開いた状態で表わしているが、実際の下端は閉じた状態となっている。
このように、実施例１及び実施例２におけるしおり本体及び差込片部材は、各種に変形して実施することができる。
【００３３】
これまで説明した実施例１及び実施例２は差込片の数が一つであったが、本発明は差込片の数を複数としても実施することができるので、以下、代表的な実施例について説明する。なお、しおり本体についての説明は実施例１と同様になるので説明を割愛する。
【実施例３】
【００３４】
図８（ａ）〜（ｅ）は本発明の実施例３を表わしたものである。
実施例３における、マグネットしおり３１の差込片部材３３は、これまでの実施例と同様に透明な軟質樹脂シート製であり、取付片３３ｂも実施例１と同様に、表面側の固定片３７ａと裏面側の固定片３７ｂとで構成されるしおり本体３２の裏面側の固定片３７ｂと略同一形状となっていて、そこに接着等で貼着されている。
しかしながら、差込片３３ａが複数（本実施例では４個）の差込小片３３ａ’，３３ａ’．．．で構成されている点が異なっており、各差込小片３３ａ’共に自由に遊動でき、図８（ｂ）の矢印で示すように反対側に折り返しての使用も可能となっている。
従って、図８（ｄ）に示すように書物Ｂの、裏表紙Ｃａまたは表表紙Ｃｂにしおり本体３２を取付けた場合は、分割ラインＤｄ，Ｄｄ．．．に示すように、その前方の４箇所の差し込みが可能となり、図８（ｅ）に示すように書物Ｂの中間頁にしおり本体３２を取付けた場合は、分割ラインＤｄ，Ｄｄ．．．に示すように、その前後で合計６箇所の差し込みが可能となる。
なお、図８（ｃ）の部分拡大斜視図に示すように、各差込小片３３ａ’の上部における折り返し部の外面に押し込み溝３３ｃを、また、内面に押し込み溝３３ｄを設けると前後の折り返しがより行いやすくなる。
【実施例４】
【００３５】
図９（ａ）〜（ｄ）及び図１０は、本発明の実施例４を表わしたものである。
この実施例においては、実施例３における差込小片を紐部材で行っている点が異なっている。
即ち、実施例４の差込小片は、図９（ｂ）に示すような汎用の腰の弱い布製や樹脂製の紐部材４３，４３を用いて形成される。
そして、図９（ａ）に示すように、しおり本体４２の表面側の固定片４７ａと裏面側の固定片４７ｂの境界部分には、ヒンジ部４６を省略して切り込み４８を入れることにより、摘み部４９が形成され、その摘み部４９には穴部４９ａが設けられる。
この状態から、図９（ｃ）に示すように、紐部材４３，４３を重ねた状態で二つ折りして、その折り返し部分をしおり本体４２の摘み部４９の穴部４９ａに通し、更に紐部材４３，４３の先端部分を摘み部４９の上方から、前記の二つ折り部分に通して引っ張ると図９（ｄ）のように４本の差込小片４３ａが形成されたマグネットしおり４１が完成する。そして必要に応じて結び目部分を接着剤により固定すればよい。
なお、この方法だと紐部材の使用本数の２倍の差込小片ができることになる。但し、これは一例であって、紐部材の取付け構造は適宜に選択し実施してもよい。
図１０は、書物Ｂの裏表紙Ｃａにマグネットしおり４１のしおり本体４２を取付けた場合の使用例を表わしたもので、表表紙Ｃｂや各頁の中間に取り付ける場合もこれまで説明した各実施例同様に行うことができる。
【実施例５】
【００３６】
これまでの各実施例は、しおり本体の表面側の固定片と裏面側の固定片とを、マグネットシート及びその外面に積層貼着した装飾層の一体部材で行う形態であったが、夫々別部材とし、それらを接合して構成することも当然に可能である。
図１１は、その場合の実施例を表わしたものであり、しおり本体５２は夫々独立した部材である表面側の固定片５７ａと裏面側の固定片５７ｂとを、ヒンジ部材を兼ねる装飾層５５に貼着して構成されている。
この場合の表面側の固定片５７ａ及び裏面側の固定片５７ｂの材料はこれまで説明したものと同様なマグネットシート製としてもよいし、片方をマグネットシート製とし他方を鋼板等の強磁性体部材を用いる構成にしてもよい。
なお、差込片についてはこれまで説明した各実施例における構成等と同様で良いので説明を割愛する。
【００３７】
本発明は、これまで述べた各実施例や変形例に限らずに各種変形して実施することが可能であり、例えば形状面では使う楽しさを追求したキャラクター搭載等の変形形状として実施するようにしてもよい。
【産業上の利用可能性】
【００３８】
本発明によるマグネットしおりは、書籍、雑誌、カタログ等の製本した書物に幅広く使用することができる。
【図面の簡単な説明】
【００３９】
【図１】本発明の実施例１を表わしたものであり、（ａ）は分解斜視図、（ｂ）は完成状態の斜視図、（ｃ）は完成状態の使用説明用の斜視図を示す。
【図２】本発明の実施例１に使用するしおり本体を表わしたものであり、（ａ）は斜視図、（ｂ）は部分拡大斜視図を示す。
【図３】本発明の実施例１の使用方法を示す斜視図を表わし、（ａ）は差込片挿入前、（ｂ）は差込片挿入後の状態を示す。
【図４】本発明の実施例１を書物の裏表紙に取り付けた場合の差込片の差込状態を表わしたものであり、（ａ）は斜視図、（ｂ）は拡大断面図を示す。
【図５】本発明の実施例１を書物の中間頁に取り付けた場合の差込片の差込状態を表わしたものであり、（ａ）は斜視図、（ｂ）は拡大断面図を示す。
【図６】本発明の実施例２を表わし、（ａ）は分解斜視図、（ｂ）は完成状態の斜視図を示す。
【図７】本発明の実施例２の変形例の斜視図を示す。
【図８】本発明の実施例３の斜視図を表わし、（ａ）は完成状態、（ｂ）は差込片の使用方法の説明図、（ｃ）は部分拡大状態、（ｄ）は書物の裏表紙に取付けた状態、（ｅ）は書物の中間頁に取付けた状態を示す。
【図９】本発明の実施例４の斜視図を表わし、（ａ）はしおり本体、（ｂ）は紐部材、（ｃ）は紐部材の取付け方法、（ｄ）は完成状態を示す。
【図１０】本発明の実施例４における使用状態の斜視図を示す。
【図１１】本発明の実施例５の斜視図を示す。
【符号の説明】
【００４０】
Ｂ  書物
Ｃａ  裏表紙
Ｃｂ  表表紙
Ｄ  希望の頁
Ｄａ、Ｄｂ、Ｄｃ、Ｄｄ  分割ライン
１、２１、２１’、３１、４１  マグネットしおり
２、２２、２２’、３２、４２、５２  しおり本体
３、２３、３３  差込片部材
３ａ、２３ａ、３３ａ  差込片
３ｂ、２３ｂ、３３ｂ  取付片
４、２４  マグネットシート
４ａ  外面
４ｂ  内面
５、２５、５５  装飾層
６、４６  ヒンジ溝
７ａ、２７ａ、２７ａ’、３７ａ、４７ａ、５７ａ  （表面側の）固定片
７ｂ、２７ｂ、２７ｂ’、３７ｂ、４７ｂ、５７ｂ  （裏面側の）固定片
８、４８  切り込み
９、２９、４９  摘み部
２３ｃ  厚肉重量部
２３ｄ  間隙
２７ｃ、２７ｄ  傾斜面
３３ａ’、４３ａ  差込小片
３３ｃ  押し込み溝
３３ｄ  押し込み溝
４３  紐部材
４９ａ  穴部
【図１】
2008068631.tif 000003
【図２】
2008068631.tif 000004
【図３】
2008068631.tif 000005
【図４】
2008068631.tif 000006
【図５】
2008068631.tif 000007
【図６】
2008068631.tif 000008
【図７】
2008068631.tif 000009
【図８】
2008068631.tif 000010
【図９】
2008068631.tif 000011
【図１０】
2008068631.tif 000012
【図１１】
2008068631.tif 000013